(57)【要約】【課題】トレイの挿入・排出に支障を来すことなく、情報の記録・再生時に外部からの衝撃が加わっても、当該衝撃を吸収して、振動の発生を低減させることが可能な信頼性の高い光ディスク装置を提供する。【解決手段】光ディスクを載置するトレイ１０と、トレイ１０を出し入れ可能に収容する筐体５０を備え、トレイ１０は、出入方向に対し平行な側部の少なくとも一方に、トレイ１０の出入方向の移動をガイドするガイドレール１１Ａ（１１Ｂ）を有し、筐体５０は、トレイ１０が挿入される際にガイドレール１１Ａ（１１Ｂ）と対向する側部に形成されると共にガイドレール１１Ａ（１１Ｂ）を案内するレールガイド５２Ａ（５２Ｂ）と、レールガイド５２Ａ（５２Ｂ）のトレイ挿入方向先端部に形成されたバネ部６５とを有し、バネ部６５は、トレイ挿入方向に向けた力が付与された際に弾性変形する。【選択図】図１０
2012252754.tif 000002
【特許請求の範囲】
【請求項１】
装着した光ディスクの情報記録面に対し情報の記録、再生の少なくとも一方を行う光ディスク装置であって、
前記光ディスクを載置するトレイと、
前記トレイを出し入れ可能に収容する筐体と、
を備え、
前記トレイは、当該トレイの出入方向に対し平行な側部に、当該トレイの出入方向の移動をガイドするガイドレールを有し、
前記筐体は、前記トレイが挿入される際に前記ガイドレールと対向する側部に形成されると共に当該ガイドレールを案内するレールガイドと、前記少なくとも一方のレールガイドのトレイ挿入方向先端部に形成されたバネ部材と、を有し、
前記バネ部材は、前記トレイの挿入方向に向けた力が付与された際に弾性変形する光ディスク装置。
【請求項２】
前記トレイが、前記光ディスクの情報記録面に対し情報の記録、再生の少なくとも一方を行う通常位置から当該トレイ挿入方向に移動した際に、前記バネ部材を押圧して当該バネ部材を弾性変形させる請求項１記載の光ディスク装置。
【請求項３】
前記バネ部材は、前記レールガイドと一体成形されてなる請求項１記載の光ディスク装置。
【請求項４】
前記バネ部材は、前記トレイが前記通常位置に位置する際に、前記トレイの挿入方向先端と所定の間隔をおいて位置する請求項２記載の光ディスク装置。
【発明の詳細な説明】
【技術分野】
【０００１】
本発明は、外部からの衝撃を抑制可能な光ディスク装置に関する。
【背景技術】
【０００２】
近年、光ディスク装置では、軽量化、薄型化が進んでおり、特にノートパソコンに搭載され、厚みが１２．７ｍｍや９．５ｍｍ等に代表される薄型光ディスク装置では、外部からの衝撃により、光ピックアップを搭載している内部装置が容易に振動し、性能に悪影響を及ぼす虞がある。
【０００３】
そこで、クランパを上部に備えたローダシャーシの左右両側壁の内側面に凸型レールを横一列に配列し、この凸型レールに光ディスクを載置するトレイ（ドロワ）の左右両側面に形成した凹溝を摺動自在に嵌合することによって、前記トレイを前記ローダシャーシの内側に挿入・排出可能に取付け、当該ローダシャーシの側壁の内面に、前記トレイを反対側の側壁に向かって付勢する付勢手段を一体に形成することで、トレイの挿入・排出時の揺れを抑制する光ディスク装置が紹介されている。（例えば、特許文献１参照）。
【０００４】
また、トレイ（ドロワ）が収納位置にある時に、シャーシの側面に設けられた押圧バネが当該トレイを左右方向に押圧することで、トレイの振動を抑制する光ディスク装置が紹介されている。（例えば、特許文献２参照）。
【０００５】
そしてまた、ガイドレールの後端部に側圧突起部を設け、トレイ（ドロワ）の後端角部に側圧受部を設け、前記トレイがドライブの筐体内に挿入された際に、前記側圧突起部が側圧受部を押圧することで、当該ドロワを固定する光ディスク装置が紹介されている。（例えば、特許文献３参照）。
【０００６】
さらにまた、トレイと、このトレイをディスク着脱位置とディスク再生位置との間で往復動自在に案内するフレームとを備え、前記フレームには、前記ディスク再生位置に格納したトレイと係合し、当該トレイの振動を抑える防振手段を設けた光ディスク装置が紹介されている。（例えば、特許文献４参照）。
【先行技術文献】
【特許文献】
【０００７】
【特許文献１】特開２０１１−１８４１６号公報
【特許文献２】特開２００８−１１７４３２号公報
【特許文献３】特開２００７−２２６９６１号公報
【特許文献４】特開２００７−１４９２７９号公報
【発明の概要】
【発明が解決しようとする課題】
【０００８】
しかしながら、特許文献１に記載された光ディスク装置は、トレイの挿入・排出時の揺れを抑制するものであり、光ディスク装置による情報の記録・再生時に加えられた衝撃を抑制する構成については検討がなされていない。
【０００９】
また、特許文献２及び３に記載された光ディスク装置は、トレイの挿入・排出方向に対し垂直な方向に当該トレイを押圧することで、トレイの振動を抑制する構成であるため、トレイが挿入・排出される際に、トレイの搬送方向に対し垂直な方向に押圧力がかかることになる。したがって、トレイの挿入・排出に支障を来す虞がある。
【００１０】
そしてまた、特許文献４に記載された光ディスク装置は、フレームの後壁部に設けられた一対のリブによりトレイの後端縁を挟み付ける、あるいは、トレイの後端縁に弾性体を設け、フレームの後壁部に設けられた係合リブにより当該弾性体を押圧することで、前記トレイを押さえてトレイの振動を抑制する構成であるため、構成が複雑であると共に、トレイを排出する際に、前記トレイを挟み付ける力または押圧する力がかかり、トレイの排出に支障を来す虞がある。
【００１１】
本発明は、以上の点を考慮してなされたものであり、トレイの挿入・排出に支障を来すことなく、情報の記録・再生時に外部からの衝撃が加わっても、当該衝撃を吸収して、振動の発生を低減させることが可能な信頼性の高い光ディスク装置を提供することを目的とする。
【課題を解決するための手段】
【００１２】
この目的を達成するため、本発明は、装着した光ディスクの情報記録面に対し情報の記録、再生の少なくとも一方を行う光ディスク装置であって、前記光ディスクを載置するトレイと、前記トレイを出し入れ可能に収容する筐体と、を備え、前記トレイは、当該トレイの出入方向に対し平行な側部に、当該トレイの出入方向の移動をガイドするガイドレールを有し、前記筐体は、前記トレイが挿入される際に前記ガイドレールと対向する側部に形成されると共に当該ガイドレールを案内するレールガイドと、前記少なくとも一方のレールガイドのトレイ挿入方向先端部に形成されたバネ部材と、を有し、前記バネ部材は、前記トレイの挿入方向に向けた力が付与された際に弾性変形する光ディスク装置を提供するものである。
【発明の効果】
【００１３】
本発明によれば、トレイの挿入・排出に支障を来すことなく、情報の記録・再生時に外部からの衝撃が加わっても、当該衝撃を吸収して、振動の発生を低減させることが可能な信頼性の高い光ディスク装置を提供することができる。
【図面の簡単な説明】
【００１４】
【図１】本発明の実施形態に係る光ディスク装置の斜視図であり、筐体からトレイ全体を排出させた状態を示す図である。
【図２】図１に示す光ディスク装置を背面から見た斜視図である。
【図３】図１に示す光ディスク装置からアッパーカバーを取外した状態を示す斜視図である。
【図４】本発明の実施形態に係る光ディスク装置からアッパーカバーを取外した状態を示す斜視図であり、筐体にトレイを収容した状態を示す図である。
【図５】図４に示す光ディスク装置の平面図である。
【図６】図４に示す光ディスク装置の一部を拡大して示す斜視図である。
【図７】本発明の実施形態に係る光ディスク装置の構成要素であるレールガイドの一部を拡大して示す斜視図である。
【図８】図３に示すVIII−VIII線に沿った断面図である。
【図９】図４に示すIX−IX線に沿った断面図であり、トレイが、光ディスクの情報記録面に対し情報の記録、再生の少なくとも一方を行う通常位置にある状態を示す図である。
【図１０】図４に示すIX−IX線に沿った断面図であり、トレイが、光ディスクの情報記録面に対し情報の記録、再生の少なくとも一方を行う通常位置から挿入方向に移動した状態を示す図である。
【図１１】本発明の他の実施形態に係る光ディスク装置の図３に示すVIII−VIII線に沿った断面に対応する断面図である。
【図１２】図１１に示す光ディスク装置の構成要素であるレールガイドの一部を拡大して示す斜視図である。
【発明を実施するための形態】
【００１５】
次に、本発明の実施形態に係る光ディスク装置について図面を参照して説明する。なお、以下に記載される実施形態は、本発明を説明するための例示であり、本発明をこれらの実施形態にのみ限定するものではない。したがって、本発明は、その要旨を逸脱しない限り、様々な形態で実施することができる。
【００１６】
図１は、本発明の実施形態に係る光ディスク装置の斜視図であり、筐体からトレイ全体を排出させた状態を示す図、図２は、図１に示す光ディスク装置を背面から見た斜視図、図３は、図１に示す光ディスク装置からアッパーカバーを取外した状態を示す斜視図、図４は、本発明の実施形態に係る光ディスク装置からアッパーカバーを取外した状態を示す斜視図であり、筐体にトレイを収容した状態を示す図、図５は、図４に示す光ディスク装置の平面図、図６は、図４に示す光ディスク装置の一部を拡大して示す斜視図である。なお、前記各図では、説明を判り易くするため、各部材の厚さやサイズ、拡大・縮小率等は、実際のものとは一致させずに記載した。また、本実施形態では、光ディスクが搭載される側を「上」、その反対側を「下」として説明する。
【００１７】
図１〜図６に示すように本実施の形態にかかる光ディスク装置１は、光ディスクを載置するトレイ１０と、光ディスクを載置したトレイ１０を出し入れ可能に収容する筐体５０とを備えている。
【００１８】
トレイ１０は、トレイ出入方向と平行な両側部に、トレイ１０の出し入れをガイドするためのガイドレール１１Ａ及び１１Ｂが各々配設されている。これらのガイドレール１１Ａ及び１１Ｂは、後に詳述する筐体５０に形成されたレールガイド５２Ａ及び５２Ｂによって、トレイ出入方向に移動可能に支持されている。トレイ１０のトレイ排出方向先端面は、筐体５０のトレイ排出方向に形成された開口を塞ぐベゼル１９となっており、このベゼル１９には、トレイ１０を筐体５０内から排出するためのイジェクトボタン２０が配設されている。
【００１９】
また、トレイ１０は、ガイドレール１１Ａ及び１１Ｂに対し移動可能に各々配設されており、筐体５０に対し挿入される際、ガイドレール１１Ａ及び１１Ｂを筐体５０の外側に残した状態で先に筐体５０内に進入し、トレイ１０のベゼル１９がガイドレール１１Ａ及び１１Ｂに当接することで、ガイドレール１１Ａ及び１１Ｂが筐体５０内に進入するようになっている。
【００２０】
トレイ１０の上面には、光ディスクが装着される光ディスク装着部１２が形成されており、この光ディスク装着部１２の外周の一部は、光ディスクの形状に合わせた略円形状となっている。この光ディスク装着部１２には開口１３が設けられており、この開口１３には、後述するユニットメカ１５が固定されている。さらに、このトレイ１０には、筐体５０への収納状態を保持する図示しないロック機構が配設されている。
【００２１】
ユニットメカ１５は、光ディスク装着部１２に搭載された光ディスクを回転駆動させるためのスピンドルモータ１６と、光ディスクの情報記録面に情報の記録を行う及び／または光ディスクの情報記録面に記録された情報の再生を行う光ピックアップ１７と、搭載された光ディスクの径方向に光ピックアップ１７を移動可能に支持する一対のガイドシャフト（図示せず）を有している。
【００２２】
スピンドルモータ１６の回転軸の光ディスク装着部１２側の先端には、光ディスクの中心孔に挿入され、光ディスクの径方向の移動を規制するクランパ２９が配設されており、光ディスク装着部１２に搭載された光ディスクは、このクランパ２９によってチャッキングされ、回転駆動される。なお、光ピックアップ１７のスピンドルモータ１６から離れた側の端部には、フレキシブルケーブル２７の一端が電気的に接続された状態で固定されており、このフレキシブルケーブル２７の他端は、トレイ１０に配設されているプリント配線基板（図示せず）に電気的に接続されている。
【００２３】
筐体５０は、ボトムケース５５と、アッパーカバー５６とを有している。この筐体５０のトレイ排出方向の端面は、トレイ１０を出し入れするための開口となっている。また、ボトムケース５５のトレイ出入方向と平行な両側部５３Ａ及び５３Ｂには、トレイ１０に形成されたガイドレール１１Ａ及び１１Ｂを移動可能に各々支持するレールガイド５２Ａ及び５２Ｂが形成されている。
【００２４】
なお、これらのレールガイド５２Ａ及び５２Ｂは、互いに線対称な形状であると共に、光ディスク装置１の全体構成（レイアウト）等によりトレイ挿入方向の長さ等が若干異なる場合はあるが、基本的な構造は同じであるため、ここでは、レールガイド５２Ａについて説明する。
【００２５】
図７は、本発明の実施形態に係る光ディスク装置の構成要素であるレールガイドの一部を拡大して示す斜視図、図８は、図３に示すVIII−VIII線に沿った断面図、図９は、図４に示すIX−IX線に沿った断面図であり、トレイが、光ディスクの情報記録面に対し情報の記録、再生の少なくとも一方を行う通常位置にある状態を示す図、図１０は、図４に示すIX−IX線に沿った断面図であり、トレイが、光ディスクの情報記録面に対し情報の記録、再生の少なくとも一方を行う通常位置から挿入方向に移動した状態を示す図である。
【００２６】
図７〜図９に示すように、レールガイド５２Ａは、ボトムケース５５側に位置する底部６１と、底部６１に対向配置され、アッパーカバー５６側に位置する天井部６２と、底部６１と天井部６２との間且つ筐体５０の外側となる位置に配設される側壁６３と、を備えており、筐体５０の内側を向く面が開放された断面略コ字状を有している。そして、底部６１、天井部６２、側壁６３によって画定される空間内に、ガイドレール１１Ａ及びトレイ１０のガイドレール１１Ａが配設されている側部が進入され、あるいは排出されるようになっている。
【００２７】
また、レールガイド５２Ａのトレイ挿入方向先端には、底部６１と一体成形されたバネ部６５が配設されている。このバネ部６５は、底部６１から連続的に立設された立設部６６と、立設部６６の上端から連続的に湾曲して下方に向けて延出した延出部６７と、延出部６７の下端から連続的にトレイ１０の排出方向に突出した凸部６８を有している。この凸部６８は、トレイ１０が光ディスクの情報記録面に対し情報の記録、再生の少なくとも一方を行う通常位置にあるとき（図９参照）、トレイ１０と所定の間隔をおく位置に配設されている。そして、このバネ部６５は、凸部６８が立設部６６に近づくように弾性変形可能となっており、この弾性変形によって、トレイ１０の出入方向の振動を吸収可能となっている。
【００２８】
また、レールガイド５２Ａの天井部６２のトレイ挿入方向先端には、下方に向けて略垂直に突出するトレイ当接部６９が形成されている。このトレイ当接部６９は、トレイ１０が筐体５０に収容された際に、トレイ１０の挿入方向先端の上面に当接し、トレイ１０の上下方向の振動を抑えるものである。
【００２９】
なお、筐体５０には、トレイ１０の排出を行うための図示しない排出機構が配設されている。また、トレイ１０と筐体５０は、フレキシブルケーブル４０によって電気的に接続され、両者間で制御・信号処理の情報が受け渡しされるようになっている。
【００３０】
この構成を備えた光ディスク装置１において、光ディスクを載置したトレイ１０を筐体５０に向けて押し込むと、トレイ１０は、光ディスクの情報記録面に対し情報の記録、再生の少なくとも一方を行う通常位置で停止する。そして、トレイ１０に配設されている図示しないロック機構により、トレイ１０の筐体５０へのこの収容状態が保持（図９参照）される。この通常位置では、トレイ１０の挿入方向先端部の上面にトレイ当接部６９が当接する。また、トレイ１０の挿入方向先端と、バネ部６５の凸部６８との間には、若干の間隔があいており、両者は接触していない。この状態で、光ディスク装置１に対し所定の操作を行うことにより、光ディスクの情報記録面に対し情報の記録、再生の少なくとも一方が行なわれる。
【００３１】
一方、トレイ１０を筐体５０から排出させる際は、イジェクトボタン２０を押すと、前記図示しないロック機構によるトレイ１０のロックが解除され、筐体５０に配設されている図示しない排出機構により、トレイ１０の排出が開始される。このとき、トレイ１０とバネ部６５は非接触状態であるため、バネ部６５の付勢力がトレイ１０にかかることがないため、トレイ１０の挿入や排出に影響を与えることはない。
【００３２】
この光ディスク装置１の動作状態において外部から衝撃が加えられ、この衝撃によってトレイ１０が図１０に示すように挿入方向（矢印Ｘ方向）に移動する（揺すぶられる）と、トレイ１０の挿入方向先端がバネ部６５の凸部６８を押圧する。この押圧により、バネ部６５には、トレイ１０の挿入方向に向けた力が付与され、凸部６８が立設部６６に近づく方向に弾性変形され、この弾性力によって、トレイ１０の移動（振動）を吸収する。したがって、トレイ１０の振動を効果的に抑制することができる。また、トレイ１０は、バネ部６５の弾性復元力によって、前述した通常位置に戻される。この結果、光ディスク装置１の動作状態において外部から衝撃が加えられても、光ディスク装置１による光ディスクの情報記録面に対し情報の記録及び／または再生を通常通り行うことができ、信頼性の高い光ディスク装置１を提供することができる。
【００３３】
なお、本実施形態では、バネ部６５をレールガイド５２Ａ及び５２Ｂと一体成形した場合について説明したが、これに限らず、バネ部６５は、レールガイド５２Ａ及び５２Ｂとは別部材で形成し、レールガイド５２Ａ及び５２Ｂのトレイ挿入方向先端に配設してもよい。この場合は、レールガイド５２Ａ及び５２Ｂを形成している材料以外の材料を適宜選択することができるため、トレイ１０の衝撃を吸収するためにより最適な弾性力を得ることができる。
【００３４】
また、本実施形態では、トレイ１０が、光ディスクの情報記録面に対し情報の記録、再生の少なくとも一方を行う通常位置にあるときに、トレイ１０とバネ部６５との間に所定の間隔が形成されるように構成した場合について説明したが、これに限らず、トレイ１０が前記通常位置にあるときに、トレイ１０に付勢力を付与しなければ、トレイ１０とバネ部６５は接触していてもよい。
【００３５】
そしてまた、本実施形態では、天井部６２のトレイ挿入方向先端から下方に向けて略垂直に突出するトレイ当接部６９を配設した場合について説明したが、これに限らず、天井部６２のトレイ挿入方向先端には、図１１及び図１２に示すように、トレイ挿入方向の斜め下方に向けて延出したトレイ当接部７９を配設してもよい。
【００３６】
さらにまた、本実施形態では、バネ部６５をレールガイド５２Ａ及び５２Ｂの両方に配設した場合について説明したが、これに限らず、バネ部６５は、レールガイド５２Ａ及び５２Ｂのいずれか一方に配設してもよい。
【００３７】
また、バネ部６５は、トレイ１０の挿入方向に向けた力が付与された際に弾性変形し、トレイ１０の振動を抑制することが可能であれば、その形状は特に限定されるものではない。そしてまた、光ディスク装置１の全体構成等、所望条件により、レールガイド５２Ａに形成するバネ部と、レールガイド５２Ｂに形成するバネ部が異なった形状を備えていてもよい。
【符号の説明】
【００３８】
１…光ディスク装置、１０…トレイ、１１Ａ、１１Ｂ…ガイドレール、５０…筐体、５２Ａ、５２Ｂ…レールガイド、６５…バネ部
【図１】
2012252754.tif 000003
【図２】
2012252754.tif 000004
【図３】
2012252754.tif 000005
【図４】
2012252754.tif 000006
【図５】
2012252754.tif 000007
【図６】
2012252754.tif 000008
【図７】
2012252754.tif 000009
【図８】
2012252754.tif 000010
【図９】
2012252754.tif 000011
【図１０】
2012252754.tif 000012
【図１１】
2012252754.tif 000013
【図１２】
2012252754.tif 000014